(57)【要約】【課題】本発明の課題は、光ファイバテープの単心分離作業を容易に実施すると共に、単心分離作業の信頼性向上を実現する光ファイバテープを提供することにある。【解決手段】本発明は、複数の光ファイバ２２をテープ樹脂２３によってテープ形状に保持した光ファイバテープ２１において、前記テープ樹脂２３内にガイド２４を前記光ファイバ２２と並行させて配置することを特徴とするものである。【選択図】図１
2009210930.tif 000002
【特許請求の範囲】
【請求項１】
複数の光ファイバをテープ樹脂によってテープ形状に保持した光ファイバテープにおいて、
前記テープ樹脂内にガイドを前記光ファイバと並行させて配置することを特徴とする光ファイバテープ。
【請求項２】
ガイドとして、複数の光ファイバの両側に並行させて配置されたガイドを用いることを特徴とする請求項１に記載の光ファイバテープ。
【請求項３】
ガイドとして、ガラス繊維もしくは樹脂よりなるガイドを用いることを特徴とする請求項１又は２に記載の光ファイバテープ。
【請求項４】
ガイドとして、線状のガイドを用いることを特徴とする請求項１乃至３のいずれかに記載の光ファイバテープ。
【請求項５】
ガイドが並行して配置された複数の光ファイバをテープ樹脂によってテープ形状に保持した光ファイバテープの単心分離工具において、
光ファイバテープの複数の光ファイバを固定する固定部材と、
光ファイバテープのガイドを切断する切断刃と
を具備することを特徴とする光ファイバテープの単心分離工具。
【請求項６】
切断された光ファイバテープのガイドに引っ掛けられ、テープ樹脂を光ファイバから剥離しながらガイドを引き出す突起が設けられたことを特徴とする請求項５に記載の光ファイバテープの単心分離工具。
【発明の詳細な説明】
【技術分野】
【０００１】
本発明は、複数の光ファイバをテープ樹脂によってテープ形状に保持した光ファイバテープ及びその単心分離工具に関するものである。
【背景技術】
【０００２】
図８は従来の光ファイバテープの単心分離を示す構成説明図である。図８において、１１は光ファイバ、１２はテープ樹脂、１３は分離位置である。
【０００３】
図８に示すように、光ファイバテープは４本の光ファイバ１１がテープ樹脂１２によってテープ形状に保持して構成される。
【０００４】
光ファイバテープの単心分離は、光ファイバテープを長手方向に直線状に保持し、保持した光ファイバテープ内の光ファイバ１１と光ファイバ１１の中間の分離位置１３に鋭利な刃を挿入し、鋭利な刃を光ファイバ１１の長手方向と平行になるようスライド移動させることにより、必要な長さ分を単心に分離する。
【０００５】
【特許文献１】特開２００４−９４０６７号公報
【発明の開示】
【発明が解決しようとする課題】
【０００６】
従来の光ファイバテープの単心分離は、光ファイバテープを長手方向に保持するため、分離する距離に合わせた長さの保持具が必要になり、保持具が分離距離に合わせた大きな構造となるため、作業スペースの確保も必要であった。
【０００７】
また、分離用の鋭利な刃により繰り返し分離を実施するため、鋭利な刃の劣化や作業不慣れ等による分離の失敗により、分離する光ファイバテープ内の光ファイバの通信障害を発生することが課題となっている。
【０００８】
特許文献１には、光ファイバテープを単心の光ファイバに分離する工具が開示されている。この工具を用いた場合、［１］複数の分割刃への対応、及び［２］分離する長手方向の作業スペースが必要となる。
【０００９】
本発明は上記の事情に鑑みてなされたもので、光ファイバテープの単心分離作業を容易に実施すると共に、単心分離作業の信頼性向上を実現する光ファイバテープ及びその単心分離工具を提供することを目的とする。
【課題を解決するための手段】
【００１０】
上記目的を達成するために本発明は、複数の光ファイバをテープ樹脂によってテープ形状に保持した光ファイバテープにおいて、前記テープ樹脂内にガイドを前記光ファイバと並行させて配置することを特徴とするものである。
【００１１】
また本発明は、前記光ファイバテープにおいて、ガイドとして、複数の光ファイバの両側に並行させて配置されたガイドを用いることを特徴とするものである。
【００１２】
また本発明は、前記光ファイバテープにおいて、ガイドとして、ガラス繊維もしくは樹脂よりなるガイドを用いることを特徴とするものである。
【００１３】
また本発明は、前記光ファイバテープにおいて、ガイドとして、線状のガイドを用いることを特徴とするものである。
【００１４】
また、本発明の光ファイバテープの単心分離工具は、ガイドが並行して配置された複数の光ファイバをテープ樹脂によってテープ形状に保持した光ファイバテープの単心分離工具において、光ファイバテープの複数の光ファイバを固定する固定部材と、光ファイバテープのガイドを切断する切断刃とを具備することを特徴とするものである。
【００１５】
また本発明は、前記光ファイバテープの単心分離工具において、切断された光ファイバテープのガイドに引っ掛けられ、テープ樹脂を光ファイバから剥離しながらガイドを引き出す突起が設けられたことを特徴とするものである。
【発明の効果】
【００１６】
本発明の光ファイバテープ及びその単心分離工具は、予め光ファイバテープ内に分離用のガイドを配置し、前記ガイドを取り出すことによりテープ樹脂を光ファイバから剥離させ、光ファイバへ圧力等の影響を回避可能なため、個々の光ファイバに影響を与えずに単心を分離することを可能とし、単心分離における作業性の向上及び信頼性の向上を実現する。
【００１７】
また、光ファイバテープを切断する長さについて、従来は光ファイバの分離する長さと同等であったのに対し、本発明により光ファイバの分離の長さとは無関係な一部分のみとなり、切断用の刃の劣化を防止することができる。
【発明を実施するための最良の形態】
【００１８】
以下図面を参照して本発明の実施の形態を詳細に説明する。
図１は本発明の第１の実施形態に係る光ファイバテープを示す構成説明図である。図１において、２１は光ファイバテープ、２２は光ファイバ、２３はテープ樹脂、２４は線状のガイドである。
【００１９】
図１に示すように、光ファイバテープ２１は複数本の光ファイバ２２及び２本のガイド２４がテープ樹脂２３によってテープ形状に保持して構成される。すなわち、水平状に並べられた複数本の光ファイバ２２の両側にそれぞれガイド２４が水平状に且つ光ファイバ２２の長手方向に並行させて配置された状態でテープ樹脂２３内に埋設される。
【００２０】
図２は本発明の第１の実施形態に係る光ファイバテープの単心分離を示す構成説明図である。図２中、図１と同一部分は同一符号を付してその説明を省略する。
【００２１】
図２に示すように、光ファイバテープ２１を単心状態の各光フィアバ２２に分離する際には、ガイド２４を切断し、切断したガイド２４の切断端をテープ樹脂２３内から引き出し、光ファイバテープ２１の長手方向Ａに引っ張り、テープ樹脂２３を光ファイバ２２から剥離することにより実施する。この場合、切断したガイド２４の切断端をテープ樹脂２３内から引き出し、光ファイバテープ２１の斜め上下の方向に引っ張り、テープ樹脂２３を光ファイバ２２から剥離するようにしてもよい。
【００２２】
尚、ガイド２４の材質としては、ガラス繊維、樹脂等を用いることができる。例えば、ガイドとして光ファイバを用いれば、その切断時には、断面の半分以下に傷を入れることで切断可能となるため、内側の切断しない光ファイバに損傷を与えることなく、容易にガイドを切断することができ、通信用の光ファイバへの影響を少なくすることができる。
【００２３】
図３は本発明の第２の実施形態に係る光ファイバテープを示す構成説明図である。図３中、図１と同一部分は同一符号を付してその説明を省略する。２５は線状のガイドである。
【００２４】
図３に示すように、光ファイバテープ２１は複数本の光ファイバ２２及び１本のガイド２５がテープ樹脂２３によってテープ形状に保持して構成される。すなわち、水平状に並べられた複数本の光ファイバ２２のほぼ中央部上部にはガイド２５が光ファイバ２２の長手方向に並行させて載置された状態でテープ樹脂２３内に埋設される。
【００２５】
また、光ファイバテープ２１を単心状態の各光フィアバ２２に分離する際には、ガイド２５を切断し、切断したガイド２５の切断端をテープ樹脂２３内から光ファイバテープ２１の上方向Ｂに引き出し、光ファイバテープ２１の長手方向もしくは斜め上の方向に引っ張り、テープ樹脂２３を光ファイバ２２から剥離することにより実施する。
【００２６】
図４は本発明の実施形態に係る光ファイバテープの単心分離工具を示す側面構成説明図である。図４において、３１，３２は単心分離工具本体、３３，３４は固定部材、３５，３６は切断刃、３７は収容部材、３８は回転軸である。
【００２７】
図４に示すように、単心分離工具本体３１と単心分離工具本体３２は一端部が回転軸３８により回転自在に取り付けられる。前記回転軸３８にはバネ（図示せず）が設けられ、単心分離工具本体３１と単心分離工具本体３２の他端部が所定間隔開くように構成されている。前記単心分離工具本体３１の他端部近傍には光ファイバテープ２１を収容する凹部を有する収容部材３７が単心分離工具本体３２に対向して設けられる。前記単心分離工具本体３１の収容部材３７の近傍には固定部材３３が収容部材３７に収容された光ファイバテープ２１の光ファイバ２２に対応して設けられると共に切断刃３５が収容部材３７に収容された光ファイバテープ２１のガイド２４に対応して設けられる。前記単心分離工具本体３２の他端部近傍には固定部材３４が収容部材３７に収容された光ファイバテープ２１の光ファイバ２２に対応して設けられると共に切断刃３６が収容部材３７に収容された光ファイバテープ２１のガイド２４に対応して設けられる。
【００２８】
図５は図４の固定部材及び切断刃を示す側面構成説明図である。すなわち、単心分離工具本体３１，３２の他端部を回転軸３８にあるバネの発条力に逆らって強制的に閉じることにより、固定部材３３，３４間に光ファイバテープ２１の複数本の光ファイバ２２のみを挟持して固定することができると共に、切断刃３５，３６で光ファイバテープ２１の２本のガイド２４を切断することができる。この場合、切断刃３５は下方からガイド２４を切断し、切断刃３６は上方からガイド２４を切断する。
【００２９】
図６は図４の固定部材及び切断刃を示す正面構成説明図であり、図７は図４の固定部材及び切断刃の動作を示す正面構成説明図である。図６及び図７において、３９，４０は切断刃３５，３６にそれぞれ対応して光ファイバテープ２１の長手方向に突出して一体に設けられた突起である。すなわち、切断刃３５，３６でガイド２４を切断した際、突起３９，４０が切断された光ファイバテープ２１のガイド２４に引っ掛けられ、光ファイバテープ２１のテープ樹脂２３を光ファイバ２２から剥離しながらガイド２４を引き出すことにより、光ファイバ２２を単心状態に分離する。
【００３０】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３１】
【図１】本発明の第１の実施形態に係る光ファイバテープを示す構成説明図である。
【図２】本発明の第１の実施形態に係る光ファイバテープの単心分離を示す構成説明図である。
【図３】本発明の第２の実施形態に係る光ファイバテープを示す構成説明図である。
【図４】本発明の実施形態に係る光ファイバテープの単心分離工具を示す側面構成説明図である。
【図５】図４の固定部材及び切断刃を示す側面構成説明図である。
【図６】図４の固定部材及び切断刃を示す正面構成説明図である。
【図７】図４の固定部材及び切断刃の動作を示す正面構成説明図である。
【図８】従来の光ファイバテープの単心分離を示す構成説明図である。
【符号の説明】
【００３２】
２１…光ファイバテープ、２２…光ファイバ、２３…テープ樹脂、２４…線状のガイド、２５…線状のガイド、３１，３２…単心分離工具本体、３３，３４…固定部材、３５，３６…切断刃、３７…収容部材、３８…回転軸、３９，４０…突起。
【図１】
2009210930.tif 000003
【図２】
2009210930.tif 000004
【図３】
2009210930.tif 000005
【図４】
2009210930.tif 000006
【図５】
2009210930.tif 000007
【図６】
2009210930.tif 000008
【図７】
2009210930.tif 000009
【図８】
2009210930.tif 000010